【手続補正書】
【提出日】令和3年4月12日(2021.4.12)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）において、競合なしのランダムアクセス（ＣＦＲＡ）のための構成および競合ベースのランダムアクセス（ＣＢＲＡ）のための構成を受信することと、
前記ＵＥにおいて、第１のランダムアクセスリソースを決定することと、ここにおいて、前記第１のランダムアクセスリソースは、ターゲット基地局からの１つまたは複数のビームにマッピングされる、
を備え、
前記ＵＥによって、前記第１のランダムアクセスリソースに関連付けられたビーム品質を決定することと、
前記第１のランダムアクセスリソースが競合なしのリソースであり、かつ前記第１のランダムアクセスリソースの前記ビーム品質がしきい値ビーム品質を上回るとき、前記ＵＥによって、前記ＣＦＲＡを使用してランダムアクセス要求を開始することと、
前記第１のランダムアクセスリソースが競合なしのリソースであり、かつ前記第１のランダムアクセスリソースの前記ビーム品質がしきい値ビーム品質を下回るとき、前記ＵＥによって、前記ＣＢＲＡを使用してランダムアクセス要求を開始することと
によって特徴付けられる、方法。
【請求項２】
前記しきい値ビーム品質は、基地局によって前記ＵＥに提供されるしきい値である、請求項１に記載の方法。
【請求項３】
前記ターゲット基地局からの前記１つまたは複数のビームは、チャネル状態情報基準信号（ＣＳＩ−ＲＳ）を備える、請求項１に記載の方法。
【請求項４】
前記ＵＥにおいて、前記ＣＦＲＡを使用した前記ランダムアクセス要求に対するランダムアクセス応答を受信することと、ここにおいて、前記ランダムアクセス応答は、次の競合ベースのリソースの後に位置する次のアップリンク送信機会を識別し、ここにおいて、前記次の競合ベースのリソースは、前記ターゲット基地局の１つまたは複数の追加のビームにマッピングされ、
前記ＵＥによって、前記次の競合ベースのリソースにおいてＣＢＲＡを開始することと  をさらに備える、請求項１に記載の方法。
【請求項５】
前記ＣＦＲＡを使用して前記ランダムアクセス要求を前記開始した後、前記ＵＥによって、所定の時間期間より前に、前記ＣＦＲＡを使用した前記ランダムアクセス要求に対するランダムアクセス応答を検出することに失敗することと、
前記ＵＥによって、次の競合ベースのリソースにおいてＣＢＲＡを開始することと、ここにおいて、前記次の競合ベースのリソースは、前記ターゲット基地局の１つまたは複数の追加のビームにマッピングされる、
をさらに備える、請求項１に記載の方法。
【請求項６】
ワイヤレス通信のために構成された装置であって、
ユーザ機器（ＵＥ）において、競合なしのランダムアクセス（ＣＦＲＡ）のための構成および競合ベースのランダムアクセス（ＣＢＲＡ）のための構成を受信するための手段と、
前記ＵＥにおいて、第１のランダムアクセスリソースを決定するための手段と、ここにおいて、前記第１のランダムアクセスリソースは、ターゲット基地局からの１つまたは複数のビームにマッピングされる、
を備え、
前記ＵＥによって、前記第１のランダムアクセスリソースに関連付けられたビーム品質を決定するための手段と、
前記第１のランダムアクセスリソースが競合なしのリソースであり、かつ前記第１のランダムアクセスリソースの前記ビーム品質がしきい値ビーム品質を上回るとき、前記ＵＥによって、前記ＣＦＲＡを使用してランダムアクセス要求を開始するための手段と、
前記第１のランダムアクセスリソースが競合なしのリソースであり、かつ前記第１のランダムアクセスリソースの前記ビーム品質がしきい値ビーム品質を下回るとき、前記ＵＥによって、前記ＣＢＲＡを使用してランダムアクセス要求を開始するための手段と
によって特徴付けられる、装置。
【請求項７】
前記しきい値ビーム品質は、基地局によって前記ＵＥに提供されるしきい値である、請求項６に記載の装置。
【請求項８】
前記ターゲット基地局からの前記１つまたは複数のビームは、チャネル状態情報基準信号（ＣＳＩ−ＲＳ）を備える、請求項６に記載の装置。
【請求項９】
前記ＵＥにおいて、前記ＣＦＲＡを使用した前記ランダムアクセス要求に対するランダムアクセス応答を受信するための手段と、ここにおいて、前記ランダムアクセス応答は、次の競合ベースのリソースの後に位置する次のアップリンク送信機会を識別し、ここにおいて、前記次の競合ベースのリソースは、前記ターゲット基地局の１つまたは複数の追加のビームにマッピングされ、
前記ＵＥによって、前記次の競合ベースのリソースにおいてＣＢＲＡを開始するための手段と
をさらに備える、請求項６に記載の装置。
【請求項１０】
前記ＣＦＲＡを使用した前記ランダムアクセス要求の後、前記ＵＥによって、所定の時間期間より前に、前記ＣＦＲＡを使用した前記ランダムアクセス要求に対するランダムアクセス応答を検出することに失敗するための手段と、
前記ＵＥによって、次の競合ベースのリソースにおいてＣＢＲＡを開始するための手段と、ここにおいて、前記次の競合ベースのリソースは、前記ターゲット基地局の１つまたは複数の追加のビームにマッピングされる、
をさらに備える、請求項６に記載の装置。
【請求項１１】
プログラムコードを記録した非一時的なコンピュータ可読媒体であって、前記プログラムコードは、コンピュータによって実行されると、前記コンピュータに、請求項１に記載の方法を行わせる、非一時的なコンピュータ可読媒体。
【手続補正２】
【補正対象書類名】明細書
【補正対象項目名】００９０
【補正方法】変更
【補正の内容】
【００９０】
[0099]  本開示の先の説明は、いかなる当業者であっても、本開示の製造または使用を可能にするように提供される。本開示への様々な変更は、当業者には容易に明らかとなり、本明細書で定義した一般原理は、本開示の趣旨または範囲から逸脱することなく、他の変形形態に適用され得る。したがって、本開示は、本明細書で説明された例および設計に限定されるようには意図されず、本明細書で開示された原理および新規の特徴に合致する最も広い範囲を与えられることとなる。
以下に、本願の出願当初の特許請求の範囲に記載された発明を付記する。
［Ｃ１］
ワイヤレス通信の方法であって、
ユーザ機器（ＵＥ）において、ランダムアクセス構成を受信することと、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定することと、ここにおいて、前記第１のランダムアクセスリソースは、ターゲット基地局からの１つまたは複数のビームにマッピングされ、
前記ＵＥによって、前記第１のランダムアクセスリソースに関連付けられたビーム品質を決定することと、
前記第１のランダムアクセスリソースが競合なしのリソースであり、かつ前記第１のランダムアクセスリソースの前記ビーム品質がしきい値ビーム品質を下回るとき、前記ＵＥによって、前記ＣＢＲＡを使用してランダムアクセス要求を開始することと
を備える、方法。
［Ｃ２］
ワイヤレス通信の方法であって、
ユーザ機器（ＵＥ）において、ランダムアクセス構成を受信することと、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定することと、ここにおいて、前記第１のランダムアクセスリソースは、ターゲット基地局からの１つまたは複数のビームにマッピングされ、
前記第１のランダムアクセスリソースが競合なしのリソースであるとき、前記ＵＥによって、前記ＣＦＲＡを使用してランダムアクセス要求を開始することと、
前記ＣＦＲＡを使用して前記ランダムアクセスを前記開始した後、前記ＵＥによって、所定の時間期間より前に、前記ＣＦＲＡを使用した前記ランダムアクセス要求に対するランダムアクセス応答を検出することに失敗することと、
前記ＵＥによって、次の競合ベースのリソースにおいてＣＢＲＡを開始することと、ここにおいて、前記次の競合ベースのリソースは、前記ターゲット基地局の１つまたは複数の追加のビームにマッピングされる、
を備える、方法。
［Ｃ３］
ワイヤレス通信の方法であって、
ユーザ機器（ＵＥ）において、ランダムアクセス構成を受信することと、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定することと、ここにおいて、前記第１のランダムアクセスリソースは、ターゲット基地局からの１つまたは複数のビームにマッピングされ、
前記第１のランダムアクセスリソースが競合なしのリソースであるとき、前記ＵＥによって、前記ＣＦＲＡを使用してランダムアクセス要求を開始することと、
前記第１のランダムアクセスリソースが競合ベースのリソースであるとき、前記ＵＥによって、前記ＣＢＲＡを使用して前記ランダムアクセス要求を開始することと
を備える、方法。
［Ｃ４］
前記ＵＥによって、前記第１のランダムアクセスリソースに関連付けられたビーム品質を決定することと、
前記第１のランダムアクセスリソースが前記競合なしのリソースであり、かつ前記第１のランダムアクセスリソースの前記ビーム品質がしきい値ビーム品質を下回るとき、前記ＵＥによって、前記ＣＢＲＡを使用して前記ランダムアクセス要求を開始することと
をさらに含む、Ｃ３に記載の方法。
［Ｃ５］
前記ＵＥにおいて、前記ＣＦＲＡを使用した前記ランダムアクセス要求に対するランダムアクセス応答を受信することと、ここにおいて、前記ランダムアクセス応答は、次の競合ベースのリソースの後に位置する次のアップリンク送信機会を識別し、ここにおいて、前記次の競合ベースのリソースは、前記ターゲット基地局の１つまたは複数の追加のビームにマッピングされ、
前記ＵＥによって、前記次の競合ベースのリソースにおいてＣＢＲＡを開始することと  をさらに含む、Ｃ３に記載の方法。
［Ｃ６］
前記ＣＦＲＡを使用して前記ランダムアクセスを前記開始した後、前記ＵＥによって、所定の時間期間より前に、前記ＣＦＲＡを使用した前記ランダムアクセス要求に対するランダムアクセス応答を検出することに失敗することと、
前記ＵＥによって、次の競合ベースのリソースにおいてＣＢＲＡを開始することと、ここにおいて、前記次の競合ベースのリソースは、前記ターゲット基地局の１つまたは複数の追加のビームにマッピングされる、
をさらに含む、Ｃ３に記載の方法。
［Ｃ７］
前記ＵＥによって、前記ＣＦＲＡを使用して前記ランダムアクセス要求を前記開始することに加えて、競合ベースのランダムアクセスリソースにおいて、前記ＣＢＲＡを使用して別のランダムアクセス要求を開始すること、または
前記ＵＥによって、前記ＣＢＲＡを使用して前記ランダムアクセス要求を前記開始することに加えて、競合なしのランダムアクセスリソースにおいて、前記ＣＦＲＡを使用して前記別のランダムアクセス要求を開始すること
のうちの１つをさらに含む、Ｃ３に記載の方法。
［Ｃ８］
前記ランダムアクセス構成は、前記ＵＥが、
前記ＣＦＲＡを使用して前記ランダムアクセス要求を前記開始すること、
前記ＣＢＲＡを使用して前記ランダムアクセス要求を前記開始すること、または
前記ＣＦＲＡおよび前記ＣＢＲＡの両方を使用して前記ランダムアクセス要求を開始すること
のうちの１つを実行するための識別をさらに含む、Ｃ３に記載の方法。
［Ｃ９］
前記ランダムアクセス構成は、前記ＵＥが、所定の優先度（predetermined priority）に従って、
前記ＣＦＲＡを使用して前記ランダムアクセス要求を前記開始すること、
前記ＣＢＲＡを使用して前記ランダムアクセス要求を前記開始すること、または
前記ＣＦＲＡおよび前記ＣＢＲＡの両方を使用して前記ランダムアクセス要求を開始すること
のうちの１つを実行するための識別（identification）をさらに含む、Ｃ３に記載の方法。
［Ｃ１０］
ワイヤレス通信の方法であって、
ターゲット基地局において、競合なしのランダムアクセス（ＣＦＲＡ）のためにスケジュールされた１つまたは複数のビームにおいて、ＣＦＲＡプロシージャを使用するユーザ機器（ＵＥ）からのランダムアクセス要求を受信することと、
前記ターゲット基地局によって、アップリンク送信機会までの遅延を識別する、前記ＵＥへのランダムアクセス応答を送信することと、
前記ターゲット基地局によって、前記アップリンク送信機会より前に、前記ＵＥからの競合ベースのランダムアクセス（ＣＢＲＡ）要求を検出することと、
前記ターゲット基地局によって、ＣＦＲＡを使用する次のアップリンク送信機会についての前記遅延を低減させることと
を備える、方法。
［Ｃ１１］
ワイヤレス通信の方法であって、
ターゲット基地局において、ユーザ機器（ＵＥ）に関連付けられたハンドオーバ要求を受信することと、
前記ターゲット基地局によって、ランダムアクセス構成を含むハンドオーバコマンドを生成することと、ここにおいて、前記ランダムアクセス構成は、競合なしのランダムアクセス（ＣＦＲＡ）および競合ベースのランダムアクセス（ＣＢＲＡ）のための構成を含み、
前記ターゲット基地局によって、ＣＦＲＡのための１つまたは複数のビームと、ＣＢＲＡのための１つまたは複数の追加のビームとをスケジュールすることと、
前記ターゲット基地局によって、前記ＣＢＲＡのための１つまたは複数の追加のビームを使用して、前記ＵＥによるハンドオーバの開始を検出することと、
前記ターゲット基地局によって、前記ＣＦＲＡのための１つまたは複数のビームのスケジュールを解放することと
を備える、方法。
［Ｃ１２］
ワイヤレス通信のために構成された装置であって、
ユーザ機器（ＵＥ）において、ランダムアクセス構成を受信するための手段と、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定するための手段と、ここにおいて、前記第１のランダムアクセスリソースは、ターゲット基地局からの１つまたは複数のビームにマッピングされ、
前記ＵＥによって、前記第１のランダムアクセスリソースに関連付けられたビーム品質を決定するための手段と、
前記第１のランダムアクセスリソースが競合なしのリソースであり、かつ前記第１のランダムアクセスリソースの前記ビーム品質がしきい値ビーム品質を下回るとき、前記ＵＥによって、前記ＣＢＲＡを使用してランダムアクセス要求を開始するための手段と
を備える、装置。
［Ｃ１３］
ワイヤレス通信のために構成された装置であって、
ユーザ機器（ＵＥ）において、ランダムアクセス構成を受信するための手段と、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定するための手段と、ここにおいて、前記第１のランダムアクセスリソースは、ターゲット基地局からの１つまたは複数のビームにマッピングされ、
前記第１のランダムアクセスリソースが競合なしのリソースであるとき、前記ＵＥによって、前記ＣＦＲＡを使用してランダムアクセス要求を開始するための手段と、
前記ＣＦＲＡを使用して前記ランダムアクセスを前記開始するための手段の後、前記ＵＥによって、所定の時間期間より前に、前記ＣＦＲＡを使用した前記ランダムアクセス要求に対するランダムアクセス応答を検出することに失敗するための手段と、
前記ＵＥによって、次の競合ベースのリソースにおいてＣＢＲＡを開始するための手段と、ここにおいて、前記次の競合ベースのリソースは、前記ターゲット基地局の１つまたは複数の追加のビームにマッピングされる、
を備える、装置。
［Ｃ１４］
ワイヤレス通信のために構成された装置であって、
ユーザ機器（ＵＥ）において、ランダムアクセス構成を受信するための手段と、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定するための手段と、ここにおいて、前記第１のランダムアクセスリソースは、ターゲット基地局からの１つまたは複数のビームにマッピングされ、
前記第１のランダムアクセスリソースが競合なしのリソースであるとき、前記ＵＥによって、前記ＣＦＲＡを使用してランダムアクセス要求を開始するための手段と、
前記第１のランダムアクセスリソースが競合ベースのリソースであるとき、前記ＵＥによって、前記ＣＢＲＡを使用して前記ランダムアクセス要求を開始するための手段と
を備える、装置。
［Ｃ１５］
前記ＵＥによって、前記第１のランダムアクセスリソースに関連付けられたビーム品質を決定するための手段と、
前記第１のランダムアクセスリソースが前記競合なしのリソースであり、かつ前記第１のランダムアクセスリソースの前記ビーム品質がしきい値ビーム品質を下回るとき、前記ＵＥによって、前記ＣＢＲＡを使用して前記ランダムアクセス要求を開始するための手段と
をさらに含む、Ｃ１４に記載の装置。
［Ｃ１６］
前記ＵＥにおいて、前記ＣＦＲＡを使用した前記ランダムアクセス要求に対するランダムアクセス応答を受信するための手段と、ここにおいて、前記ランダムアクセス応答は、次の競合ベースのリソースの後に位置する次のアップリンク送信機会を識別し、ここにおいて、前記次の競合ベースのリソースは、前記ターゲット基地局の１つまたは複数の追加のビームにマッピングされ、
前記ＵＥによって、前記次の競合ベースのリソースにおいてＣＢＲＡを開始するための手段と
をさらに含む、Ｃ１４に記載の装置。
［Ｃ１７］
前記ＣＦＲＡを使用して前記ランダムアクセスを前記開始するための手段の後、前記ＵＥによって、所定の時間期間より前に、前記ＣＦＲＡを使用した前記ランダムアクセス要求に対するランダムアクセス応答を検出することに失敗するための手段と、
前記ＵＥによって、次の競合ベースのリソースにおいてＣＢＲＡを開始するための手段と、ここにおいて、前記次の競合ベースのリソースは、前記ターゲット基地局の１つまたは複数の追加のビームにマッピングされる、
をさらに含む、Ｃ１４に記載の装置。
［Ｃ１８］
前記ＵＥによって、前記ＣＦＲＡを使用して前記ランダムアクセス要求を前記開始するための手段に加えて、競合ベースのランダムアクセスリソースにおいて、前記ＣＢＲＡを使用して別のランダムアクセス要求を開始するための手段、または
前記ＵＥによって、前記ＣＢＲＡを使用して前記ランダムアクセス要求を前記開始するための手段に加えて、競合なしのランダムアクセスリソースにおいて、前記ＣＦＲＡを使用して前記別のランダムアクセス要求を開始するための手段
のうちの１つをさらに含む、Ｃ１４に記載の装置。
［Ｃ１９］
前記ランダムアクセス構成は、前記ＵＥが、
前記ＣＦＲＡを使用して前記ランダムアクセス要求を前記開始するための手段と、
前記ＣＢＲＡを使用して前記ランダムアクセス要求を前記開始するための手段、または  前記ＣＦＲＡおよび前記ＣＢＲＡの両方を使用して前記ランダムアクセス要求を開始するための手段
のうちの１つを実行するための識別をさらに含む、Ｃ１４に記載の装置。
［Ｃ２０］
前記ランダムアクセス構成は、前記ＵＥが、所定の優先度に従って、
前記ＣＦＲＡを使用して前記ランダムアクセス要求を前記開始するための手段、
前記ＣＢＲＡを使用して前記ランダムアクセス要求を前記開始するための手段、または  前記ＣＦＲＡおよび前記ＣＢＲＡの両方を使用して前記ランダムアクセス要求を開始するための手段
のうちの１つを実行するための識別をさらに含む、Ｃ１４に記載の装置。
［Ｃ２１］
ワイヤレス通信のために構成された装置であって、
ターゲット基地局において、競合なしのランダムアクセス（ＣＦＲＡ）のためにスケジュールされた１つまたは複数のビームにおいて、ＣＦＲＡプロシージャを使用するユーザ機器（ＵＥ）からのランダムアクセス要求を受信するための手段と、
前記ターゲット基地局によって、アップリンク送信機会までの遅延を識別する、前記ＵＥへのランダムアクセス応答を送信するための手段と、
前記ターゲット基地局によって、前記アップリンク送信機会より前に、前記ＵＥからの競合ベースのランダムアクセス（ＣＢＲＡ）要求を検出するための手段と、
前記ターゲット基地局によって、ＣＦＲＡを使用する次のアップリンク送信機会についての前記遅延を低減させるための手段と
を備える、装置。
［Ｃ２２］
ワイヤレス通信のために構成された装置であって、
ターゲット基地局において、ユーザ機器（ＵＥ）に関連付けられたハンドオーバ要求を受信するための手段と、
前記ターゲット基地局によって、ランダムアクセス構成を含むハンドオーバコマンドを生成するための手段と、ここにおいて、前記ランダムアクセス構成は、競合なしのランダムアクセス（ＣＦＲＡ）および競合ベースのランダムアクセス（ＣＢＲＡ）のための構成を含み、
前記ターゲット基地局によって、ＣＦＲＡのための１つまたは複数のビームと、ＣＢＲＡのための１つまたは複数の追加のビームとをスケジュールするための手段と、
前記ターゲット基地局によって、前記ＣＢＲＡのための１つまたは複数の追加のビームを使用して、前記ＵＥによるハンドオーバの開始を検出するための手段と、
前記ターゲット基地局によって、前記ＣＦＲＡのための１つまたは複数のビームのスケジュールを解放するための手段と
を備える、装置。
［Ｃ２３］
プログラムコードを記録した非一時的なコンピュータ可読媒体であって、前記プログラムコードは、
コンピュータに、ユーザ機器（ＵＥ）において、ランダムアクセス構成を受信することを行わせるための、前記コンピュータによって実行可能なプログラムコードと、ここにおいて、前記ランダムアクセス構成は、競合なしのランダムアクセス（ＣＦＲＡ）および競合ベースのランダムアクセス（ＣＢＲＡ）のための構成を含み、
前記コンピュータに、前記ＵＥにおいて、第１のランダムアクセスリソースを決定することを行わせるための、前記コンピュータによって実行可能なプログラムコードと、ここにおいて、前記第１のランダムアクセスリソースは、ターゲット基地局からの１つまたは複数のビームにマッピングされ、
前記コンピュータに、前記ＵＥによって、前記第１のランダムアクセスリソースに関連付けられたビーム品質を決定することを行わせるための、前記コンピュータによって実行可能なプログラムコードと、
前記コンピュータに、前記第１のランダムアクセスリソースが競合なしのリソースであり、かつ前記第１のランダムアクセスリソースの前記ビーム品質がしきい値ビーム品質を下回るとき、前記ＵＥによって、前記ＣＢＲＡを使用してランダムアクセス要求を開始することを行わせるための、前記コンピュータによって実行可能なプログラムコードと
を備える、非一時的なコンピュータ可読媒体。
［Ｃ２４］
プログラムコードを記録した非一時的なコンピュータ可読媒体であって、前記プログラムコードは、
コンピュータに、ユーザ機器（ＵＥ）において、ランダムアクセス構成を受信することを行わせるための、前記コンピュータによって実行可能なプログラムコードと、ここにおいて、前記ランダムアクセス構成は、競合なしのランダムアクセス（ＣＦＲＡ）および競合ベースのランダムアクセス（ＣＢＲＡ）のための構成を含み、
前記コンピュータに、前記ＵＥにおいて、第１のランダムアクセスリソースを決定することを行わせるための、前記コンピュータによって実行可能なプログラムコードと、ここにおいて、前記第１のランダムアクセスリソースは、ターゲット基地局からの１つまたは複数のビームにマッピングされ、
前記コンピュータに、前記第１のランダムアクセスリソースが競合なしのリソースであるとき、前記ＵＥによって、前記ＣＦＲＡを使用してランダムアクセス要求を開始することを行わせるための、前記コンピュータによって実行可能なプログラムコードと、
前記コンピュータに、前記ＣＦＲＡを使用して前記ランダムアクセスを開始することを行わせるための、前記コンピュータによって実行可能な前記プログラムコードの実行後、前記コンピュータに、前記ＵＥによって、所定の時間期間より前に、前記ＣＦＲＡを使用した前記ランダムアクセス要求に対するランダムアクセス応答を検出することに失敗することを行わせるための、前記コンピュータによって実行可能なプログラムコードと、
前記コンピュータに、前記ＵＥによって、次の競合ベースのリソースにおいてＣＢＲＡを開始することを行わせるための、前記コンピュータによって実行可能なプログラムコードと、ここにおいて、前記次の競合ベースのリソースは、前記ターゲット基地局の１つまたは複数の追加のビームにマッピングされる、
を備える、非一時的なコンピュータ可読媒体。
［Ｃ２５］
プログラムコードを記録した非一時的なコンピュータ可読媒体であって、前記プログラムコードは、
コンピュータに、ユーザ機器（ＵＥ）において、ランダムアクセス構成を受信することを行わせるための、前記コンピュータによって実行可能なプログラムコードと、ここにおいて、前記ランダムアクセス構成は、競合なしのランダムアクセス（ＣＦＲＡ）および競合ベースのランダムアクセス（ＣＢＲＡ）のための構成を含み、
前記コンピュータに、前記ＵＥにおいて、第１のランダムアクセスリソースを決定することを行わせるための、前記コンピュータによって実行可能なプログラムコードと、ここにおいて、前記第１のランダムアクセスリソースは、ターゲット基地局からの１つまたは複数のビームにマッピングされ、
前記コンピュータに、前記第１のランダムアクセスリソースが競合なしのリソースであるとき、前記ＵＥによって、前記ＣＦＲＡを使用してランダムアクセス要求を開始することを行わせるための、前記コンピュータによって実行可能なプログラムコードと、
前記コンピュータに、前記第１のランダムアクセスリソースが競合ベースのリソースであるとき、前記ＵＥによって、前記ＣＢＲＡを使用して前記ランダムアクセス要求を開始することを行わせるための、前記コンピュータによって実行可能なプログラムコードと  を備える、非一時的なコンピュータ可読媒体。
［Ｃ２６］
前記コンピュータに、前記ＵＥによって、前記第１のランダムアクセスリソースに関連付けられたビーム品質を決定することを行わせるための、前記コンピュータによって実行可能なプログラムコードと、
前記第１のランダムアクセスリソースが前記競合なしのリソースであり、かつ前記第１のランダムアクセスリソースの前記ビーム品質がしきい値ビーム品質を下回るとき、前記コンピュータに、前記ＵＥによって、前記ＣＢＲＡを使用して前記ランダムアクセス要求を開始することを行わせるための、前記コンピュータによって実行可能なプログラムコードと
をさらに含む、Ｃ２５に記載の非一時的なコンピュータ可読媒体。
［Ｃ２７］
前記コンピュータに、前記ＵＥにおいて、前記ＣＦＲＡを使用した前記ランダムアクセス要求に対するランダムアクセス応答を受信することを行わせるための、前記コンピュータによって実行可能なプログラムコードと、ここにおいて、前記ランダムアクセス応答は、次の競合ベースのリソースの後に位置する次のアップリンク送信機会を識別し、ここにおいて、前記次の競合ベースのリソースは、前記ターゲット基地局の１つまたは複数の追加のビームにマッピングされ、
前記コンピュータに、前記ＵＥによって、前記次の競合ベースのリソースにおいてＣＢＲＡを開始することを行わせるための、前記コンピュータによって実行可能なプログラムコードと
をさらに含む、Ｃ２５に記載の非一時的なコンピュータ可読媒体。
［Ｃ２８］
前記コンピュータに、前記ＣＦＲＡを使用して前記ランダムアクセスを開始することを行わせるための、前記コンピュータによって実行可能な前記プログラムコードの後に、前記コンピュータに、前記ＵＥによって、所定の時間期間より前に、前記ＣＦＲＡを使用した前記ランダムアクセス要求に対するランダムアクセス応答を検出することに失敗することを行わせるための、前記コンピュータによって実行可能なプログラムコードと、
前記コンピュータに、前記ＵＥによって、次の競合ベースのリソースにおいてＣＢＲＡを開始することを行わせるための、前記コンピュータによって実行可能なプログラムコードと、ここにおいて、前記次の競合ベースのリソースは、前記ターゲット基地局の１つまたは複数の追加のビームにマッピングされる、
をさらに含む、Ｃ２５に記載の非一時的なコンピュータ可読媒体。
［Ｃ２９］
前記コンピュータに、前記ＣＦＲＡを使用して前記ランダムアクセス要求を開始することを行わせるための、前記コンピュータによって実行可能な前記プログラムコードに加えて、前記コンピュータに、前記ＵＥによって、競合ベースのランダムアクセスリソースにおいて、前記ＣＢＲＡを使用して別のランダムアクセス要求を開始することを行わせるための、前記コンピュータによって実行可能なプログラムコード、または
前記コンピュータに、前記ＣＢＲＡを使用して前記ランダムアクセス要求を開始することを行わせるための、前記コンピュータによって実行可能な前記プログラムコードに加えて、前記コンピュータに、前記ＵＥによって、競合なしのランダムアクセスリソースにおいて、前記ＣＦＲＡを使用して前記別のランダムアクセス要求を開始することを行わせるための、前記コンピュータによって実行可能なプログラムコード
のうちの１つをさらに含む、Ｃ２５に記載の非一時的なコンピュータ可読媒体。
［Ｃ３０］
前記ランダムアクセス構成は、前記ＵＥが、
前記コンピュータに、前記ＣＦＲＡを使用して前記ランダムアクセス要求を開始することを行わせるための、前記コンピュータによって実行可能な前記プログラムコード、
前記コンピュータに、前記ＣＢＲＡを使用して前記ランダムアクセス要求を開始することを行わせるための、前記コンピュータによって実行可能な前記プログラムコード、または
前記コンピュータに、前記ＣＦＲＡおよび前記ＣＢＲＡの両方を使用して前記ランダムアクセス要求を開始することを行わせるための、前記コンピュータによって実行可能なプログラムコード
のうちの１つを実行するための識別をさらに含む、Ｃ２５に記載の非一時的なコンピュータ可読媒体。
［Ｃ３１］
前記ランダムアクセス構成は、前記ＵＥが、所定の優先度に従って、
前記コンピュータに、前記ＣＦＲＡを使用して前記ランダムアクセス要求を開始することを行わせるための、前記コンピュータによって実行可能な前記プログラムコード、
前記コンピュータに、前記ＣＢＲＡを使用して前記ランダムアクセス要求を開始することを行わせるための、前記コンピュータによって実行可能な前記プログラムコード、または
前記コンピュータに、前記ＣＦＲＡおよび前記ＣＢＲＡの両方を使用して前記ランダムアクセス要求を開始することを行わせるための、前記コンピュータによって実行可能なプログラムコード
のうちの１つを実行するための識別をさらに含む、Ｃ２５に記載の非一時的なコンピュータ可読媒体。
［Ｃ３２］
プログラムコードを記録した非一時的なコンピュータ可読媒体であって、前記プログラムコードは、
コンピュータに、ターゲット基地局において、競合なしのランダムアクセス（ＣＦＲＡ）のためにスケジュールされた１つまたは複数のビームにおいて、ＣＦＲＡプロシージャを使用するユーザ機器（ＵＥ）からのランダムアクセス要求を受信することを行わせるための、前記コンピュータによって実行可能なプログラムコードと、
前記コンピュータに、前記ターゲット基地局によって、アップリンク送信機会までの遅延を識別する、前記ＵＥへのランダムアクセス応答を送信することを行わせるための、前記コンピュータによって実行可能なプログラムコードと、
前記コンピュータに、前記ターゲット基地局によって、前記アップリンク送信機会より前に、前記ＵＥからの競合ベースのランダムアクセス（ＣＢＲＡ）要求を検出することを行わせるための、前記コンピュータによって実行可能なプログラムコードと、
前記コンピュータに、前記ターゲット基地局によって、ＣＦＲＡを使用する次のアップリンク送信機会についての前記遅延を低減させることを行わせるための、前記コンピュータによって実行可能なプログラムコードと
を備える、非一時的なコンピュータ可読媒体。
［Ｃ３３］
プログラムコードを記録した非一時的なコンピュータ可読媒体であって、前記プログラムコードは、
コンピュータに、ターゲット基地局において、ユーザ機器（ＵＥ）に関連付けられたハンドオーバ要求を受信することを行わせるための、前記コンピュータによって実行可能なプログラムコードと、
前記コンピュータに、前記ターゲット基地局によって、ランダムアクセス構成を含むハンドオーバコマンドを生成することを行わせるための、前記コンピュータによって実行可能なプログラムコードと、ここにおいて、前記ランダムアクセス構成は、競合なしのランダムアクセス（ＣＦＲＡ）および競合ベースのランダムアクセス（ＣＢＲＡ）のための構成を含み、
前記コンピュータに、前記ターゲット基地局によって、ＣＦＲＡのための１つまたは複数のビームと、ＣＢＲＡのための１つまたは複数の追加のビームとをスケジュールすることを行わせるための、前記コンピュータによって実行可能なプログラムコードと、
前記コンピュータに、前記ターゲット基地局によって、前記ＣＢＲＡのための１つまたは複数の追加のビームを使用して、前記ＵＥによるハンドオーバの開始を検出することを行わせるための、前記コンピュータによって実行可能なプログラムコードと、
前記コンピュータに、前記ターゲット基地局によって、前記ＣＦＲＡのための１つまたは複数のビームのスケジュールを解放することを行わせるための、前記コンピュータによって実行可能なプログラムコードと
を備える、非一時的なコンピュータ可読媒体。
［Ｃ３４］
ワイヤレス通信のために構成された装置であって、前記装置は、
少なくとも１つのプロセッサと、
前記少なくとも１つのプロセッサに結合されたメモリと
を備え、ここにおいて、前記少なくとも１つのプロセッサは、
ユーザ機器（ＵＥ）において、ランダムアクセス構成を受信することと、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定することと、ここにおいて、前記第１のランダムアクセスリソースは、ターゲット基地局からの１つまたは複数のビームにマッピングされ、
前記ＵＥによって、前記第１のランダムアクセスリソースに関連付けられたビーム品質を決定することと、
前記第１のランダムアクセスリソースが競合なしのリソースであり、かつ前記第１のランダムアクセスリソースの前記ビーム品質がしきい値ビーム品質を下回るとき、前記ＵＥによって、前記ＣＢＲＡを使用してランダムアクセス要求を開始することと
を行うように構成される、装置。
［Ｃ３５］
ワイヤレス通信のために構成された装置であって、前記装置は、
少なくとも１つのプロセッサと、
前記少なくとも１つのプロセッサに結合されたメモリと
を備え、ここにおいて、前記少なくとも１つのプロセッサは、
ユーザ機器（ＵＥ）において、ランダムアクセス構成を受信することと、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定することと、ここにおいて、前記第１のランダムアクセスリソースは、ターゲット基地局からの１つまたは複数のビームにマッピングされ、
前記第１のランダムアクセスリソースが競合なしのリソースであるとき、前記ＵＥによって、前記ＣＦＲＡを使用してランダムアクセス要求を開始することと、
前記ＣＦＲＡを使用して前記ランダムアクセスを開始するための前記少なくとも１つのプロセッサの前記構成の実行後、前記ＵＥによって、所定の時間期間より前に、前記ＣＦＲＡを使用した前記ランダムアクセス要求に対するランダムアクセス応答を検出することに失敗することと、
前記ＵＥによって、次の競合ベースのリソースにおいてＣＢＲＡを開始することと、ここにおいて、前記次の競合ベースのリソースは、前記ターゲット基地局の１つまたは複数の追加のビームにマッピングされる、
を行うように構成される、装置。
［Ｃ３６］
ワイヤレス通信のために構成された装置であって、前記装置は、
少なくとも１つのプロセッサと、
前記少なくとも１つのプロセッサに結合されたメモリと
を備え、ここにおいて、前記少なくとも１つのプロセッサは、
ユーザ機器（ＵＥ）において、ランダムアクセス構成を受信することと、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定することと、ここにおいて、前記第１のランダムアクセスリソースは、ターゲット基地局からの１つまたは複数のビームにマッピングされ、
前記第１のランダムアクセスリソースが競合なしのリソースであるとき、前記ＵＥによって、前記ＣＦＲＡを使用してランダムアクセス要求を開始することと、
前記第１のランダムアクセスリソースが競合ベースのリソースであるとき、前記ＵＥによって、前記ＣＢＲＡを使用して前記ランダムアクセス要求を開始することと
を行うように構成される、装置。
［Ｃ３７］
前記ＵＥによって、前記第１のランダムアクセスリソースに関連付けられたビーム品質を決定することと、
前記第１のランダムアクセスリソースが前記競合なしのリソースであり、かつ前記第１のランダムアクセスリソースの前記ビーム品質がしきい値ビーム品質を下回るとき、前記ＵＥによって、前記ＣＢＲＡを使用して前記ランダムアクセス要求を開始することと
を行うための前記少なくとも１つのプロセッサの構成をさらに含む、Ｃ３６に記載の装置。
［Ｃ３８］
前記ＵＥにおいて、前記ＣＦＲＡを使用した前記ランダムアクセス要求に対するランダムアクセス応答を受信することと、ここにおいて、前記ランダムアクセス応答は、次の競合ベースのリソースの後に位置する次のアップリンク送信機会を識別し、ここにおいて、前記次の競合ベースのリソースは、前記ターゲット基地局の１つまたは複数の追加のビームにマッピングされ、
前記ＵＥによって、前記次の競合ベースのリソースにおいてＣＢＲＡを開始することと  を行うための前記少なくとも１つのプロセッサの構成をさらに含む、Ｃ３６に記載の装置。
［Ｃ３９］
前記ＣＦＲＡを使用して前記ランダムアクセスを開始するための前記少なくとも１つのプロセッサの前記構成の後に、前記ＵＥによって、所定の時間期間より前に、前記ＣＦＲＡを使用した前記ランダムアクセス要求に対するランダムアクセス応答を検出することに失敗することと、
前記ＵＥによって、次の競合ベースのリソースにおいてＣＢＲＡを開始することと、ここにおいて、前記次の競合ベースのリソースは、前記ターゲット基地局の１つまたは複数の追加のビームにマッピングされる、
を行うための前記少なくとも１つのプロセッサの構成をさらに含む、Ｃ３６に記載の装置。
［Ｃ４０］
前記ＵＥによって、前記ＣＦＲＡを使用して前記ランダムアクセス要求を開始するための前記少なくとも１つのプロセッサの前記構成に加えて、競合ベースのランダムアクセスリソースにおいて、前記ＣＢＲＡを使用して別のランダムアクセス要求を開始すること、または
前記ＵＥによって、前記ＣＢＲＡを使用して前記ランダムアクセス要求を開始するための前記少なくとも１つのプロセッサの前記構成に加えて、競合なしのランダムアクセスリソースにおいて、前記ＣＦＲＡを使用して前記別のランダムアクセス要求を開始すること  のうちの１つを行うための前記少なくとも１つのプロセッサの構成をさらに含む、Ｃ３６に記載の装置。
［Ｃ４１］
前記ランダムアクセス構成は、前記ＵＥが、
前記ＣＦＲＡを使用して前記ランダムアクセス要求を開始するための前記少なくとも１つのプロセッサの前記構成、
前記ＣＢＲＡを使用して前記ランダムアクセス要求を開始するための前記少なくとも１つのプロセッサの前記構成、または
前記ＣＦＲＡおよび前記ＣＢＲＡの両方を使用して前記ランダムアクセス要求を開始するための前記少なくとも１つのプロセッサの構成
のうちの１つを実行するための識別をさらに含む、Ｃ３６に記載の装置。
［Ｃ４２］
前記ランダムアクセス構成は、前記ＵＥが、所定の優先度に従って、
前記ＣＦＲＡを使用して前記ランダムアクセス要求を開始するための前記少なくとも１つのプロセッサの前記構成、
前記ＣＢＲＡを使用して前記ランダムアクセス要求を開始するための前記少なくとも１つのプロセッサの前記構成、または
前記ＣＦＲＡおよび前記ＣＢＲＡの両方を使用して前記ランダムアクセス要求を開始するための前記少なくとも１つのプロセッサの構成
のうちの１つを実行するための識別をさらに含む、Ｃ３６に記載の装置。
［Ｃ４３］
ワイヤレス通信のために構成された装置であって、前記装置は、
少なくとも１つのプロセッサと、
前記少なくとも１つのプロセッサに結合されたメモリと
を備え、ここにおいて、前記少なくとも１つのプロセッサは、
ターゲット基地局において、競合なしのランダムアクセス（ＣＦＲＡ）のためにスケジュールされた１つまたは複数のビームにおいて、ＣＦＲＡプロシージャを使用するユーザ機器（ＵＥ）からのランダムアクセス要求を受信することと、
前記ターゲット基地局によって、アップリンク送信機会までの遅延を識別する、前記ＵＥへのランダムアクセス応答を送信することと、
前記ターゲット基地局によって、前記アップリンク送信機会より前に、前記ＵＥからの競合ベースのランダムアクセス（ＣＢＲＡ）要求を検出することと、
前記ターゲット基地局によって、ＣＦＲＡを使用する次のアップリンク送信機会についての前記遅延を低減させることと
を行うように構成される、装置。
［Ｃ４４］
ワイヤレス通信のために構成された装置であって、前記装置は、
少なくとも１つのプロセッサと、
前記少なくとも１つのプロセッサに結合されたメモリと
を備え、ここにおいて、前記少なくとも１つのプロセッサは、
ターゲット基地局において、ユーザ機器（ＵＥ）に関連付けられたハンドオーバ要求を受信することと、
前記ターゲット基地局によって、ランダムアクセス構成を含むハンドオーバコマンドを生成することと、ここにおいて、前記ランダムアクセス構成は、競合なしのランダムアクセス（ＣＦＲＡ）および競合ベースのランダムアクセス（ＣＢＲＡ）のための構成を含み、
前記ターゲット基地局によって、ＣＦＲＡのための１つまたは複数のビームと、ＣＢＲＡのための１つまたは複数の追加のビームとをスケジュールすることと、
前記ターゲット基地局によって、前記ＣＢＲＡのための１つまたは複数の追加のビームを使用して、前記ＵＥによるハンドオーバの開始を検出することと、
前記ターゲット基地局によって、前記ＣＦＲＡのための１つまたは複数のビームのスケジュールを解放することと
を行うように構成される、装置。